(57)【要約】【課題】伝送効率を向上させると共に伝送遅延時間を削減すること。【解決手段】制御部１０２は、下り回線データの送信に使用される下り回線用時間帯および上り回線データの送信に使用される上り回線用時間帯の割り当てを時間帯計算部１１６に報告する。時間帯計算部１１６は、フレームにおける下り回線用時間帯および上り回線用時間帯以外の未使用時間帯を計算する。時間帯割り当て部１１８は、計算の結果に基づいて、フレームにおいて未使用時間帯が存在する場合に、下り回線データの再送信または上り回線データの再送信のためのデータ用時間帯を未使用時間帯に割り当てる。【選択図】      図１
2004247830.tif 000002
【特許請求の範囲】
【請求項１】
下り回線データの送信に使用される下り回線用時間帯および上り回線データの送信に使用される上り回線用時間帯をフレーム毎に動的に割り当てる送受信装置において、
フレームにおける前記下り回線用時間帯および前記上り回線用時間帯以外の未使用時間帯を計算する時間帯計算手段と、
前記下り回線データの再送信または前記上り回線データの再送信に使用されるデータ用時間帯を前記未使用時間帯に割り当てる時間帯割り当て手段と、
を具備することを特徴とする送受信装置。
【請求項２】
前記時間帯割り当て手段は、
前記下り回線用時間帯の直後に前記下り回線データの再送信のためのデータ用時間帯を配置することにより前記データ用時間帯の割り当てを行うことを特徴とする請求項１記載の送受信装置。
【請求項３】
前記時間帯割り当て手段は、
前記上り回線用時間帯の直後に前記上り回線データの再送信のためのデータ用時間帯を配置することにより前記データ用時間帯の割り当てを行うことを特徴とする請求項１記載の送受信装置。
【請求項４】
前記データ用時間帯において再送信される前記下り回線データは前記下り回線用時間帯において送信される前記下り回線データの一部であり、前記下り回線用時間帯において送信される前記下り回線データは複数の通信相手宛てのデータであり、前記下り回線データの前記一部は前記複数の通信相手の一の通信相手宛てのデータであり、前記一の通信相手の回線品質は前記一の通信相手以外の通信相手の回線品質より悪いことを特徴とする請求項１から請求項３のいずれかに記載の送受信装置。
【請求項５】
前記データ用時間帯において再送信される前記下り回線データは前記下り回線用時間帯において送信される前記下り回線データの一部であり、前記下り回線データの前記一部は前記下り回線データの前記一部以外のデータより送信回数が多いデータであることを特徴とする請求項１から請求項３のいずれかに記載の送受信装置。
【請求項６】
前記データ用時間帯において再送信される前記下り回線データは前記下り回線用時間帯において送信される前記下り回線データの一部であり、前記下り回線データの前記一部は通信相手との通信を制御するためのデータであることを特徴とする請求項１から請求項３のいずれかに記載の送受信装置。
【請求項７】
前記下り回線データを拡散する拡散手段を具備し、
前記拡散手段が前記データ用時間帯において前記下り回線データを拡散する時の拡散符号は、前記拡散手段が前記下り回線用時間帯において前記下り回線データを拡散する時の拡散符号と異なることを特徴とする請求項１から請求項６のいずれかに記載の送受信装置。
【請求項８】
前記下り回線データを拡散する拡散手段を具備し、
前記拡散手段が前記データ用時間帯において前記下り回線データを拡散する時の拡散符号の拡散率は、前記拡散手段が前記下り回線用時間帯において前記下り回線データを拡散する時の拡散符号の拡散率より大きいことを特徴とする請求項１から請求項６のいずれかに記載の送受信装置。
【請求項９】
前記下り回線データを拡散する拡散手段を具備し、
前記拡散手段が前記データ用時間帯において前記下り回線データを拡散する時の拡散符号の拡散符号数は、前記拡散手段が前記下り回線用時間帯において前記下り回線データを拡散する時の拡散符号の拡散符号数より多いことを特徴とする請求項１から請求項６のいずれかに記載の送受信装置。
【請求項１０】
前記下り回線データを拡散する拡散手段を具備し、
前記拡散手段が前記データ用時間帯において前記下り回線データを拡散する時の拡散符号の多重数は、前記拡散手段が前記下り回線用時間帯において前記下り回線データを拡散する時の拡散符号の多重数より少ないことを特徴とする請求項１から請求項６のいずれかに記載の送受信装置。
【請求項１１】
請求項１から請求項１０のいずれかに記載の送受信装置を具備することを特徴とする基地局装置。
【請求項１２】
下り回線データの送信に使用される下り回線用時間帯および上り回線データの送信に使用される上り回線用時間帯をフレーム毎に動的に割り当てる送受信方法であって、
フレームにおける前記下り回線用時間帯および前記上り回線用時間帯以外の未使用時間帯を計算する時間帯計算ステップと、
前記下り回線データの再送信または前記上り回線データの再送信に使用されるデータ用時間帯を前記未使用時間帯に割り当てる時間帯割り当てステップと、
を具備することを特徴とする送受信方法。
【発明の詳細な説明】
【０００１】
【発明の属する技術分野】
本発明は、送受信装置および送受信方法に関し、特に送信の時間帯をフレーム毎に動的に割り当てる送受信装置および送受信方法に関する。
【０００２】
【従来の技術】
近年、各フレームにおいて下り回線データを送信する時間帯および上り回線データを送信する時間帯を、固定的に割り当てるのではなく、動的に割り当てる割り当て方法が盛んに検討されている。このような動的割り当てにおいて、送信データを送信するための電気的条件などを回線品質情報に基づいて決定する物理層での処理および送信データの割り当てなどを行うデータリンク層での処理において互いの層における処理が考慮されていない。すなわち、各フレームに割り当てられる送信のための時間帯が大きく異なる場合があるため、フレーム内に未使用時間帯が発生することがある（たとえば特許文献１）。ここで、１フレームとは、装置間でデータの送受信を行うための時間帯の１単位である。
【０００３】
【特許文献１】
特開平１１−２３９１５２号公報
【０００４】
【発明が解決しようとする課題】
しかしながら、従来の送受信装置および送受信方法において、未使用時間帯を考慮せずにデータの送受信が行われ、未使用時間帯においては何もデータが送受信されないため、結果的にフレームの時間帯を有効に使用していないという問題があった。また、従来の送受信装置および送受信方法において、データを再送信するためには少なくとも１フレーム以上待機する必要があり、さらに回線変動が遅い場合に誤りが連続的に発生して再送回数が増大するため、データが送信されてから通信相手が受信するまでの伝送遅延時間が大きくなるという問題があった。
【０００５】
本発明は、かかる点に鑑みてなされたものであり、伝送効率を向上させると共に伝送遅延時間を削減することができる送受信装置および送受信方法を提供することを目的とする。
【０００６】
【課題を解決するための手段】
本発明の送受信装置は、下り回線データの送信に使用される下り回線用時間帯および上り回線データの送信に使用される上り回線用時間帯をフレーム毎に動的に割り当てる送受信装置において、フレームにおける前記下り回線用時間帯および前記上り回線用時間帯以外の未使用時間帯を計算する時間帯計算手段と、前記下り回線データの再送信または前記上り回線データの再送信に使用されるデータ用時間帯を前記未使用時間帯に割り当てる時間帯割り当て手段と、を具備する構成を採る。
【０００７】
この構成によれば、フレームにおいて未使用時間帯が存在する場合に下り回線データの再送信または上り回線データの再送信に使用されるデータ用時間帯を未使用時間帯に割り当てるため、未使用時間帯においてもデータの送受信を行うことができるから、かつ、データの再送受信を行うために１フレーム以上待機する必要がなくなるから、伝送効率を向上させることができると共に伝送遅延時間を削減することができる。さらに、この構成によれば、通信相手からの余計な制御信号なしでデータ用時間帯の割り当てを行うため、通信相手が余計な制御信号を送信する必要がなくなるから、通信相手の消費電力の増大および干渉の増大を回避することができ、かつ、通信相手の誤り率特性の改善を図ることができる。
【０００８】
本発明の送受信装置は、上記構成において、前記時間帯割り当て手段が、前記下り回線用時間帯の直後に前記下り回線データの再送信のためのデータ用時間帯を配置することにより前記データ用時間帯の割り当てを行う構成を採る。
【０００９】
この構成によれば、下り回線データの送信に引き続いて下り回線データの再送信を行える配置でデータ用時間帯の割り当てを行うため、未使用時間帯においてもデータの送信を行うことができるから、かつ、データの再送信を行うために１フレーム以上待機する必要がなくなるから、伝送効率を向上させることができると共に伝送遅延時間を削減することができる。さらに、この構成によれば、ＴＤＤ（Ｔｉｍｅ  Ｄｉｖｉｓｉｏｎ  Ｄｕｐｌｅｘ）方式の送受信装置の場合に、下り回線データの送信に引き続いて下り回線データの再送信を行うことができるため、フレームにおける送受信の状態遷移の回数が増加することを回避することができるから、送受信の状態遷移の管理を容易に行うことができる。
【００１０】
本発明の送受信装置は、上記構成において、前記時間帯割り当て手段が、前記上り回線用時間帯の直後に前記上り回線データの再送信のためのデータ用時間帯を配置することにより前記データ用時間帯の割り当てを行う構成を採る。
【００１１】
この構成によれば、上り回線データの送信に引き続いて上り回線データの再送信を行える配置でデータ用時間帯の割り当てを行うため、未使用時間帯においてもデータの送信を行うことができるから、かつ、データの再送信を行うために１フレーム以上待機する必要がなくなるから、伝送効率を向上させることができると共に伝送遅延時間を削減することができる。さらに、この構成によれば、ＴＤＤ方式の送受信装置の場合に、上り回線データの送信に引き続いて上り回線データの再送信を行うことができるため、フレームにおける送受信の状態遷移の回数が増加することを回避することができるから、送受信の状態遷移の管理を容易に行うことができる。
【００１２】
本発明の送受信装置は、上記構成において、前記データ用時間帯において再送信される前記下り回線データが前記下り回線用時間帯において送信される前記下り回線データの一部であり、前記下り回線用時間帯において送信される前記下り回線データが複数の通信相手宛てのデータであり、前記下り回線データの前記一部が前記複数の通信相手の一の通信相手宛てのデータであり、前記一の通信相手の回線品質が前記一の通信相手以外の通信相手の回線品質より悪い構成を採る。
【００１３】
この構成によれば、上記効果に加えて、回線品質が悪い通信相手に対して下り回線データを再送信するため、回線品質が悪い通信相手における誤り率特性を改善することができる。
【００１４】
本発明の送受信装置は、上記構成において、前記データ用時間帯において再送信される前記下り回線データが前記下り回線用時間帯において送信される前記下り回線データの一部であり、前記下り回線データの前記一部が前記下り回線データの前記一部以外のデータより送信回数が多いデータである構成を採る。
【００１５】
この構成によれば、上記効果に加えて、送信回数が多いデータの再送信を優先的に行うため、たとえば送信回数が多いデータなどの重要データの誤り率を改善することができる。
【００１６】
本発明の送受信装置は、上記構成において、前記データ用時間帯において再送信される前記下り回線データが前記下り回線用時間帯において送信される前記下り回線データの一部であり、前記下り回線データの前記一部が通信相手との通信を制御するためのデータである構成を採る。
【００１７】
この構成によれば、上記効果に加えて、通信制御用データの再送信を優先的に行うため、たとえば通信制御用データなどの重要データの誤り率を改善することができる。
【００１８】
本発明の送受信装置は、上記構成において、前記下り回線データを拡散する拡散手段を具備し、前記拡散手段が前記データ用時間帯において前記下り回線データを拡散する時の拡散符号が、前記拡散手段が前記下り回線用時間帯において前記下り回線データを拡散する時の拡散符号と異なる構成を採る。
【００１９】
この構成によれば、上記効果に加えて、送信時と再送信時とで異なる拡散符号を用いるため、マルチパス環境下での拡散符号間の直交性の崩れ方が変化するから、再送信時の下り回線データの誤り率を送信時の下り回線データの誤り率より良くすることができる。
【００２０】
本発明の送受信装置は、上記構成において、前記下り回線データを拡散する拡散手段を具備し、前記拡散手段が前記データ用時間帯において前記下り回線データを拡散する時の拡散符号の拡散率が、前記拡散手段が前記下り回線用時間帯において前記下り回線データを拡散する時の拡散符号の拡散率より大きい構成を採る。
【００２１】
この構成によれば、上記効果に加えて、送信時の拡散符号の拡散率より大きい拡散率を有する拡散符号を再送信時に用いるため、再送信時の下り回線データの誤り率を送信時の下り回線データの誤り率より良くすることができる。
【００２２】
本発明の送受信装置は、上記構成において、前記下り回線データを拡散する拡散手段を具備し、前記拡散手段が前記データ用時間帯において前記下り回線データを拡散する時の拡散符号の拡散符号数が、前記拡散手段が前記下り回線用時間帯において前記下り回線データを拡散する時の拡散符号の拡散符号数より多い構成を採る。
【００２３】
この構成によれば、上記効果に加えて、送信時の拡散符号の拡散符号数より多い拡散符号数の拡散符号を再送信時に用いるため、再送信時の下り回線データの誤り率を送信時の下り回線データの誤り率より良くすることができる。
【００２４】
本発明の送受信装置は、上記構成において、前記下り回線データを拡散する拡散手段を具備し、前記拡散手段が前記データ用時間帯において前記下り回線データを拡散する時の拡散符号の多重数が、前記拡散手段が前記下り回線用時間帯において前記下り回線データを拡散する時の拡散符号の多重数より少ない構成を採る。
【００２５】
この構成によれば、上記効果に加えて、再送信時の拡散符号の多重数を送信時より少なくして拡散を行うため、再送信時の下り回線データの誤り率を送信時の下り回線データの誤り率より良くすることができる。
【００２６】
本発明の基地局装置は、上記のいずれかに記載の送受信装置を具備する構成を採る。
【００２７】
この構成によれば、上記効果に加えて、上記のいずれかに記載の送受信装置と同様の作用効果を基地局装置において実現することができる。
【００２８】
本発明の送受信方法は、下り回線データの送信に使用される下り回線用時間帯および上り回線データの送信に使用される上り回線用時間帯をフレーム毎に動的に割り当てる送受信方法であって、フレームにおける前記下り回線用時間帯および前記上り回線用時間帯以外の未使用時間帯を計算する時間帯計算ステップと、前記下り回線データの再送信または前記上り回線データの再送信に使用されるデータ用時間帯を前記未使用時間帯に割り当てる時間帯割り当てステップと、を具備するようにした。
【００２９】
この方法によれば、フレームにおいて未使用時間帯が存在する場合に下り回線データの再送信または上り回線データの再送信に使用されるデータ用時間帯を未使用時間帯に割り当てるため、未使用時間帯においてもデータの送受信を行うことができるから、かつ、データの再送受信を行うために１フレーム以上待機する必要がなくなるから、伝送効率を向上させることができると共に伝送遅延時間を削減することができる。さらに、この方法によれば、通信相手からの余計な制御信号なしでデータ用時間帯の割り当てを行うため、通信相手が余計な制御信号を送信する必要がなくなるから、通信相手の消費電力の増大および干渉の増大を回避することができ、かつ、通信相手の誤り率特性の改善を図ることができる。
【００３０】
【発明の実施の形態】
本発明の骨子は、フレームにおける下り回線データの送信に使用される下り回線用時間帯および上り回線データの送信に使用される上り回線用時間帯以外の未使用時間帯に前記下り回線データの再送信または前記上り回線データの再送信に使用されるデータ用時間帯を割り当てることである。
【００３１】
以下、本発明の実施の形態について、図面を参照して詳細に説明する。
【００３２】
（実施の形態１）
図１は、本発明の実施の形態１に係る送受信装置の構成を示すブロック図である。図１に示す送受信装置１００は、ＴＤＤ方式の無線通信システム（たとえば、ＣＤＭＡ／ＴＤＤ方式の無線通信システム）における基地局装置に適用されたものである。
【００３３】
図１に示す送受信装置１００は、制御部１０２、拡散装置１０４、無線送信部１０６、共用部１０８、アンテナ１１０、無線受信部１１２、逆拡散装置１１４、時間帯計算部１１６および時間帯割り当て部１１８を具備している。
【００３４】
制御部１０２の入力端子は、時間帯割り当て部１１８に接続されている。拡散装置１０４の入力端子は、制御部１０２に接続されている。無線送信部１０６の入力端子は、拡散装置１０４に接続されている。共用部１０８の入力端子は、無線送信部１０６、制御部１０２およびアンテナ１１０に接続されている。アンテナ１１０の入力端子は、共用部１０８に接続されている。無線受信部１１２の入力端子は、共用部１０８に接続されている。逆拡散装置１１４の入力端子は、無線受信部１１２に接続されている。時間帯計算部１１６の入力端子は、制御部１０２に接続されている。時間帯割り当て部１１８の入力端子は、時間帯計算部１１６に接続されている。
【００３５】
制御部１０２は、下り回線用時間帯および上り回線用時間帯をフレーム毎に動的に割り当てる。また、制御部１０２は、各フレームにおける下り回線用時間帯および上り回線用時間帯の割り当てに基づいて下り回線データを制御して拡散装置１０４に出力する。また、制御部１０２は、時間帯割り当て部１１８からの割り当て情報に基づいて下り回線データを制御して拡散装置１０４に出力する。ここで、下り回線用時間帯とは、下り回線を介して通信相手（ユーザ装置）に転送されるデータである下り回線データを送信するために使用される時間帯である。また、上り回線用時間帯とは、上り回線を介して通信相手から転送されるデータである上り回線データを送信するために使用される時間帯である。
【００３６】
また、制御部１０２は、下り回線用時間帯および上り回線用時間帯の割り当てを時間帯計算部１１６に報告する。また、制御部１０２は、拡散装置１０４における拡散処理を制御するための拡散制御情報を拡散装置１０４に出力する。また、制御部１０２は、共用部１０８において送受信の状態遷移を制御するための送受信制御情報を共用部１０８に出力する。
【００３７】
時間帯計算部１１６は、制御部１０２から報告された下り回線用時間帯および上り回線用時間帯の割り当てに基づいて、フレームにおける上り回線用時間帯および下り回線用時間帯以外の未使用時間帯を計算して計算結果を生成し、計算結果を時間帯割り当て部１１８に出力する。
【００３８】
時間帯割り当て部１１８は、時間帯計算部１１６からの計算結果に基づいて、フレームにおいて未使用時間帯が存在する場合に、データ用時間帯を未使用時間帯に割り当てる。ここで、データ用時間帯とは、下り回線データを再送信するために使用される時間帯または上り回線データを再送信するために使用される時間帯である。時間帯割り当て部１１８は、データ用時間帯を未使用時間帯に割り当てたことを示す割り当て情報を生成して制御部１０２に出力する。
【００３９】
拡散装置１０４は、制御部１０２からの拡散制御情報に基づいて下り回線データを拡散する。拡散装置１０４は、拡散後の下り回線データを無線送信部１０６に出力する。
【００４０】
無線送信部１０６は、拡散信号に対してアップコンバート等を含む所定の無線送信処理を行って、共用部１０８に出力する。
【００４１】
共用部１０８は、制御部１０２からの送受信制御情報に基づいてアンテナ１１０の送受信の状態を切り替える。また、共用部１０８は、無線送信部１０６からの下り回線データをアンテナ１１０から無線送信する。また、共用部１０８は、アンテナ１１０によって受信された上り回線データを無線受信部１１２に出力する。
【００４２】
無線受信部１１２は、共用部１０８からの上り回線データに対してダウンコンバート等を含む所定の無線受信処理を行って、逆拡散装置１１４に出力する。逆拡散装置１１４は、上り回線データを逆拡散する。
【００４３】
次いで、上記構成を有する送受信装置１００における動作の一例について説明する。
【００４４】
まず、制御部１０２は、下り回線データの送信に使用される下り回線用時間帯および上り回線データの送信に使用される上り回線用時間帯の割り当てを時間帯計算部１１６に報告する。
【００４５】
そして、時間帯計算部１１６は、フレームの時間長から上り回線用時間帯の長さおよび下り回線用時間帯の長さを減算することにより未使用時間帯を計算して、図２の（Ａ）に示す計算結果を生成して時間帯割り当て部１１８に出力する。
【００４６】
なお、未使用時間帯の計算処理は、上記に限定されない。たとえば、送信される下り回線データのデータ量および送信される上り回線データのデータ量を合計して、その合計値に基づいて未使用時間帯を計算しても良い。
【００４７】
そして、時間帯割り当て部１１８は、時間帯計算部１１６からの計算結果を参照する。そして、未使用時間帯がある場合に、時間帯割り当て部１１８は、下り回線用時間帯および上り回線用時間帯の後に下り回線データを再送信するためのデータ用時間帯を配置することによりデータ用時間帯の割り当てを行う。そして、時間帯割り当て部１１８は、上記のようなデータ用時間帯の割り当てに基づく割り当て情報（図２の（Ｂ））を生成して制御部１０２に出力する。
【００４８】
なお、時間帯割り当て部１１８は、下り回線用時間帯および上り回線用時間帯の後に上り回線データを再送信するためのデータ用時間帯を配置しても良い。また、時間帯割り当て部１１８は、下り回線用時間帯および上り回線用時間帯の後に下り回線データを再送信するためのデータ用時間帯および上り回線データを再送信するためのデータ用時間帯の両方を配置しても良い。
【００４９】
また、図２において、時間帯割り当て部１１８は、データ用時間帯を未使用時間帯の一部に割り当て、かつ、データ用時間帯を割り当てられた部分以外を残余時間帯としている。ただし、データ用時間帯の割り当て方法は、これに限定されない。たとえば、時間帯割り当て部１１８は、データ用時間帯を未使用時間帯の全部に割り当てても良い。
【００５０】
そして、制御部１０２は、時間帯割り当て部１１８からの割り当て情報に基づいて送受信制御情報を生成して共用部１０８に出力する。また、制御部１０２は、割り当てられた下り回線用時間帯において下り回線データが送信されるようにタイミングを制御して、タイミング制御後の下り回線データを拡散装置１０４に出力する。これと同時に、制御部１０２は、拡散制御情報を生成して拡散装置１０４に出力する。また、制御部１０２は、時間帯割り当て部１１８からの割り当て情報に基づいて、同フレームにおいて送信される下り回線データのうちの一部を選択して、割り当てられたデータ用時間帯において選択部分が再送信されるようにタイミングを制御して、拡散装置１０４に出力する。これと同時に、制御部１０２は、拡散制御情報を生成して拡散装置１０４に出力する。ここで、拡散制御情報の一例としては、拡散処理において使用すべき拡散率を示す情報が挙げられる。
【００５１】
ここで、下り回線データのうちの一部を選択する動作の一例として、制御部１０２は、下り回線データが複数の通信相手宛てのデータである場合に、複数の通信相手のうちの１つ以上の通信相手宛てのデータを選択する。通信相手の選択基準の一例としては、各通信相手の回線品質が挙げられる。この場合、制御部１０２は、各通信相手から報告される回線品質を比較して、回線品質が悪いと判断された通信相手を選択する。なお、送受信装置１００が各通信相手に対する送信電力制御を行うものである場合、制御部１０２は、送信電力を示す情報が回線品質を示すものとしてその情報を比較しても良い。このようにして、回線品質が悪い通信相手に対して下り回線データを再送信するため、回線品質が悪い通信相手における誤り率特性を改善することができる。
【００５２】
また、下り回線データのうちの一部を選択する動作の他の例として、制御部１０２は、下り回線データが初めて送信されるデータの他に通信相手からの再送要求に従って再送情報として送信されるデータを含むものである場合に、下り回線データのうち送信回数が多いデータを選択しても良い。たとえば、送信される下り回線データに送信回数が「１」であるデータ（すなわち、初めて送信されるデータ）および送信回数が「２」であるデータ（すなわち、再送情報として送信されるデータ）が含まれている場合、制御部１０２は、送信回数が「２」であるデータを選択して同フレームにおいて再送信すべき下り回線データとする。再送情報は比較的重要なデータであると考えられるから、このように、送信回数が多いデータの再送信を優先的に行うことにより、送信回数が多いデータなどの重要データの誤り率を改善することができる。
【００５３】
また、下り回線データのうちの一部を選択する動作のさらに他の例として、制御部１０２は、下り回線データが様々な種類のデータを含むものである場合に、下り回線データのうち通信相手との通信を制御するためのデータを選択しても良い。通信制御用のデータは比較的重要なデータであると考えられるから、このように、通信制御用データの再送信を優先的に行うことにより、通信制御用データなどの重要データの誤り率を改善することができる。
【００５４】
なお、下り回線データの再送信時において、制御部１０２は、同フレームにおいて送信される下り回線データの全部を拡散装置１０４に出力しても良い。また、下り回線データの再送信時において、制御部１０２は、同フレームにおいて再送信すべき下り回線データがなければデータ用時間帯において何も出力しなくても良い。
【００５５】
次いで、拡散装置１０４における動作の一例について説明する。図３は、拡散装置１０４の内部構成の一例を示すブロック図である。拡散装置１０４は、拡散部３０２ａ、３０２ｂおよび選択部３０４を具備している。拡散部３０２ａ、３０２ｂは制御部１０２に接続されている。選択部３０４は、制御部１０２および拡散部３０２ａ、３０２ｂに接続されている。
【００５６】
拡散部３０２ａは、固有の拡散率を有する拡散符号を用いて制御部１０２からの下り回線データを拡散する。また、拡散部３０２ｂは、固有の拡散率を有する拡散符号を用いて制御部１０２からの下り回線データを拡散する。ここで、拡散部３０２ａにおける拡散率および拡散部３０２ｂにおける拡散率は互いに異なる。
【００５７】
そして、選択部３０４は、どの拡散率を選択すべきかを示す情報を拡散制御情報として制御部１０２から取得する。そして、選択部３０４は、拡散制御情報に示された拡散率で拡散された下り回線データを選択して無線送信部１０６に出力する。
【００５８】
このように、実施の形態１によれば、フレームにおいて未使用時間帯が存在する場合に下り回線データの再送信または上り回線データの再送信に使用されるデータ用時間帯を未使用時間帯に割り当てるため、未使用時間帯においてもデータの送受信を行うことができるから、かつ、データの再送受信を行うために１フレーム以上待機する必要がなくなるから、伝送効率を向上させることができると共に伝送遅延時間を削減することができる。さらに、実施の形態１によれば、通信相手からの余計な制御信号なしでデータ用時間帯の割り当てを行うため、通信相手が余計な制御信号を送信する必要がなくなるから、通信相手の消費電力の増大および干渉の増大を回避することができ、かつ、通信相手の誤り率特性の改善を図ることができる。
【００５９】
また、実施の形態１によれば、上述の作用効果を基地局装置において実現することができる。
【００６０】
なお、上述のとおり、実施の形態１において説明した送受信装置１００は、ＴＤＤ方式の無線通信システムに適用されたものであるが、送受信装置１００は、ＦＤＤ（Ｆｒｅｑｕｅｎｃｙ  Ｄｉｖｉｓｉｏｎ  Ｄｕｐｌｅｘ）方式の無線通信システムに適用することも可能である。
【００６１】
（実施の形態２）
図４は、本発明の実施の形態２に係る送受信装置の構成を示すブロック図である。なお、実施の形態２に係る送受信装置は、実施の形態１において説明した送受信装置１００と同様の基本的構成を有しており、同一の構成要素には同一の参照符号を付し、その説明を省略する。
【００６２】
図４に示す送受信装置４００は、図１に示す送受信装置１００における時間帯割り当て部１１８の代わりに時間帯割り当て部４０２を具備して成るものである。図４に示す送受信装置４００は、ＴＤＤ方式の無線通信システム（たとえば、ＣＤＭＡ／ＴＤＤ方式の無線通信システム）における基地局装置に適用されたものである。
【００６３】
制御部１０２の入力端子は、時間帯割り当て部４０２に接続されている。拡散装置１０４の入力端子は、制御部１０２に接続されている。無線送信部１０６の入力端子は、拡散装置１０４に接続されている。共用部１０８の入力端子は、無線送信部１０６、制御部１０２およびアンテナ１１０に接続されている。アンテナ１１０の入力端子は、共用部１０８に接続されている。無線受信部１１２の入力端子は、共用部１０８に接続されている。逆拡散装置１１４の入力端子は、無線受信部１１２に接続されている。時間帯計算部１１６の入力端子は、制御部１０２に接続されている。時間帯割り当て部４０２の入力端子は、時間帯計算部１１６に接続されている。
【００６４】
時間帯割り当て部４０２は、時間帯計算部１１６からの計算結果に基づいて、フレームにおいて未使用時間帯が存在する場合に、データ用時間帯を未使用時間帯に割り当てる。時間帯割り当て部４０２は、データ用時間帯を未使用時間帯に割り当てたことを示す割り当て情報を生成して制御部１０２に出力する。
【００６５】
次いで、時間帯割り当て部４０２における具体的な動作の一例について説明する。
【００６６】
まず、時間帯割り当て部４０２は、時間帯計算部１１６からの計算結果（図５の（Ａ））を参照する。そして、未使用時間帯がある場合に、時間帯割り当て部４０２は、下り回線用時間帯の直後に下り回線データを再送信するためのデータ用時間帯を配置し、かつ、上り回線用時間帯の直後に上り回線データを再送信するためのデータ用時間帯を配置することによりデータ用時間帯の割り当てを行う。そして、時間帯割り当て部４０２は、上記のようなデータ用時間帯の割り当てに基づく割り当て情報（図５の（Ｂ））を生成して制御部１０２に出力する。
【００６７】
なお、図５において、時間帯割り当て部４０２は、データ用時間帯を未使用時間帯の一部に割り当て、かつ、データ用時間帯を割り当てられた部分以外を残余時間帯としている。ただし、データ用時間帯の割り当て方法は、これに限定されない。たとえば、時間帯割り当て部４０２は、データ用時間帯を未使用時間帯の全部に割り当てても良い。
【００６８】
このように、実施の形態２によれば、下り回線データの送信に引き続いて下り回線データの再送信を行える配置でデータ用時間帯の割り当てを行うため、未使用時間帯においてもデータの送信を行うことができるから、かつ、データの再送信を行うために１フレーム以上待機する必要がなくなるから、伝送効率を向上させることができると共に伝送遅延時間を削減することができる。さらに、実施の形態２によれば、通信相手からの余計な制御信号なしでデータ用時間帯の割り当てを行うため、通信相手が余計な制御信号を送信する必要がなくなるから、通信相手の消費電力の増大および干渉の増大を回避することができ、かつ、通信相手の誤り率特性の改善を図ることができる。
【００６９】
また、実施の形態２によれば、上り回線データの送信に引き続いて上り回線データの再送信を行える配置でデータ用時間帯の割り当てを行うため、未使用時間帯においてもデータの送信を行うことができるから、かつ、データの再送信を行うために１フレーム以上待機する必要がなくなるから、伝送効率を向上させることができると共に伝送遅延時間を削減することができる。
【００７０】
また、実施の形態２によれば、ＴＤＤ方式の場合に、下り回線データの送信に引き続いて下り回線データの再送信を行うことができるため、フレームにおける送受信の状態遷移の回数が増加することを回避することができるので、送受信の状態遷移の管理を容易に行うことができる。
【００７１】
また、実施の形態２によれば、ＴＤＤ方式の場合に、上り回線データの送信に引き続いて上り回線データの再送信を行うことができるため、フレームにおける送受信の状態遷移の回数が増加することを回避することができるので、送受信の状態遷移の管理を容易に行うことができる。
【００７２】
また、実施の形態２によれば、上述の作用効果を基地局装置において実現することができる。
【００７３】
なお、上述のとおり、実施の形態２において説明した送受信装置４００は、ＴＤＤ方式の無線通信システムに適用されたものであるが、送受信装置４００は、ＦＤＤ方式の無線通信システムに適用することも可能である。
【００７４】
（実施の形態３）
図６は、本発明の実施の形態３に係る送受信装置の構成を示すブロック図である。なお、実施の形態３に係る送受信装置は、実施の形態１において説明した送受信装置１００と同様の基本的構成を有しており、同一の構成要素には同一の参照符号を付し、その説明を省略する。
【００７５】
図６に示す送受信装置６００は、図１に示す送受信装置１００における時間帯割り当て部１１８の代わりに時間帯割り当て部６０２を具備して成るものである。図６に示す送受信装置６００は、ＴＤＤ方式の無線通信システム（たとえば、ＣＤＭＡ／ＴＤＤ方式の無線通信システム）における基地局装置に適用されたものである。
【００７６】
制御部１０２の入力端子は、時間帯割り当て部６０２に接続されている。拡散装置１０４の入力端子は、制御部１０２に接続されている。無線送信部１０６の入力端子は、拡散装置１０４に接続されている。共用部１０８の入力端子は、無線送信部１０６、制御部１０２およびアンテナ１１０に接続されている。アンテナ１１０の入力端子は、共用部１０８に接続されている。無線受信部１１２の入力端子は、共用部１０８に接続されている。逆拡散装置１１４の入力端子は、無線受信部１１２に接続されている。時間帯計算部１１６の入力端子は、制御部１０２に接続されている。時間帯割り当て部６０２の入力端子は、時間帯計算部１１６に接続されている。
【００７７】
時間帯割り当て部６０２は、時間帯計算部１１６からの計算結果に基づいて、フレームにおいて未使用時間帯が存在する場合に、データ用時間帯を未使用時間帯に割り当てる。時間帯割り当て部６０２は、データ用時間帯を未使用時間帯に割り当てたことを示す割り当て情報を生成して制御部１０２に出力する。
【００７８】
次いで、時間帯割り当て部６０２における具体的な動作の一例について説明する。
【００７９】
まず、時間帯割り当て部６０２は、時間帯計算部１１６からの計算結果（図７の（Ａ））を参照する。そして、未使用時間帯がある場合に、時間帯割り当て部６０２は、下り回線用時間帯の直後に下り回線データを再送信するためのデータ用時間帯を配置することによりデータ用時間帯の割り当てを行う。そして、時間帯割り当て部６０２は、上記のようなデータ用時間帯の割り当てに基づく割り当て情報（図７の（Ｂ））を生成して制御部１０２に出力する。この場合、時間帯割り当て部６０２は、上り回線データの再送信のためのデータ用時間帯を割り当てていないが、無線通信システム全体のスループットは一般に下り回線が支配的であるため下り回線データの再送信のためのデータ用時間帯を割り当てるだけでも十分に効果的である。
【００８０】
なお、図７において、時間帯割り当て部６０２は、データ用時間帯を未使用時間帯の一部に割り当て、かつ、データ用時間帯を割り当てられた部分以外を残余時間帯としている。ただし、データ用時間帯の割り当て方法は、これに限定されない。たとえば、時間帯割り当て部６０２は、データ用時間帯を未使用時間帯の全部に割り当てても良い。
【００８１】
このように、実施の形態３によれば、下り回線データの送信に引き続いて下り回線データの再送信を行える配置でデータ用時間帯の割り当てを行うため、未使用時間帯においてもデータの送信を行うことができるから、かつ、データの再送信を行うために１フレーム以上待機する必要がなくなるから、伝送効率を向上させることができると共に伝送遅延時間を削減することができる。さらに、実施の形態３によれば、通信相手からの余計な制御信号なしでデータ用時間帯の割り当てを行うため、通信相手が余計な制御信号を送信する必要がなくなるから、通信相手の消費電力の増大および干渉の増大を回避することができ、かつ、通信相手の誤り率特性の改善を図ることができる。
【００８２】
また、実施の形態３によれば、ＴＤＤ方式の場合に、下り回線データの送信に引き続いて下り回線データの再送信を行うことができるため、フレームにおける送受信の状態遷移の回数が増加することを回避することができるので、送受信の状態遷移の管理を容易に行うことができる。
【００８３】
また、実施の形態３によれば、上述の作用効果を基地局装置において実現することができる。
【００８４】
なお、上述のとおり、実施の形態３において説明した送受信装置６００は、ＴＤＤ方式の無線通信システムに適用されたものであるが、送受信装置６００は、ＦＤＤ方式の無線通信システムに適用することも可能である。
【００８５】
（実施の形態４）
図８は、本発明の実施の形態４に係る送受信装置の構成を示すブロック図である。なお、実施の形態４に係る送受信装置は、実施の形態１において説明した送受信装置１００と同様の基本的構成を有しており、同一の構成要素には同一の参照符号を付し、その説明を省略する。
【００８６】
図８に示す送受信装置８００は、図１に示す送受信装置１００における制御部１０２および拡散装置１０４の代わりに制御部８０２および拡散装置８０４を具備して成るものである。図８に示す送受信装置８００は、ＴＤＤ方式の無線通信システム（たとえば、ＣＤＭＡ／ＴＤＤ方式の無線通信システム）における基地局装置に適用されたものである。
【００８７】
制御部８０２の入力端子は、時間帯割り当て部１１８に接続されている。拡散装置８０４の入力端子は、制御部８０２に接続されている。無線送信部１０６の入力端子は、拡散装置８０４に接続されている。共用部１０８の入力端子は、無線送信部１０６、制御部８０２およびアンテナ１１０に接続されている。アンテナ１１０の入力端子は、共用部１０８に接続されている。無線受信部１１２の入力端子は、共用部１０８に接続されている。逆拡散装置１１４の入力端子は、無線受信部１１２に接続されている。時間帯計算部１１６の入力端子は、制御部８０２に接続されている。時間帯割り当て部１１８の入力端子は、時間帯計算部１１６に接続されている。
【００８８】
制御部８０２は、下り回線用時間帯および上り回線用時間帯をフレーム毎に動的に割り当てる。また、制御部８０２は、各フレームにおける下り回線用時間帯および上り回線用時間帯の割り当てに基づいて下り回線データを制御して拡散装置８０４に出力する。また、制御部８０２は、時間帯割り当て部１１８からの割り当て情報に基づいて下り回線データを制御して拡散装置８０４に出力する。
【００８９】
また、制御部８０２は、下り回線用時間帯および上り回線用時間帯の割り当てを時間帯計算部１１６に報告する。また、制御部８０２は、拡散装置８０４における拡散処理を制御するための拡散制御情報を拡散装置８０４に出力する。また、制御部８０２は、データ用時間帯における下り回線データ再送信の実行を示す情報を拡散装置８０４に出力する。また、制御部８０２は、共用部１０８において送受信の状態遷移を制御するための送受信制御情報を共用部１０８に出力する。
【００９０】
なお、制御部８０２における下り回線データのタイミングを制御する動作および下り回線データのうちの一部を選択する動作は、実施の形態において説明した制御部１０２と同様である。
【００９１】
拡散装置８０４は、制御部８０２からの拡散制御情報に基づいて下り回線データを拡散する。拡散装置８０４は、拡散後の下り回線データを無線送信部１０６に出力する。
【００９２】
次いで、拡散装置８０４における動作の一例について説明する。図９は、拡散装置８０４の内部構成の一例を示すブロック図である。拡散装置８０４は、拡散部９０２ａ、９０２ｂおよび選択部９０４を具備している。拡散部９０２ａ、９０２ｂの入力端子は、制御部８０２に接続されている。選択部９０４は、制御部８０２および拡散部９０２ａ、９０２ｂに接続されている。
【００９３】
拡散部９０２ａは、固有の拡散率を有するＮ個（Ｎは２以上の整数）の拡散符号を有する。拡散部９０２ｂは、固有の拡散率を有するＭ個（Ｍは２以上の整数）の拡散符号を有する。ここで、拡散部９０２ａにおける拡散率および拡散部９０２ｂにおける拡散率は互いに異なる。
【００９４】
まず、下り回線用時間帯における下り回線データの送信時に、拡散部９０２ａは、Ｎ個の拡散符号の一の拡散符号を用いて制御部８０２からの下り回線データを拡散する。これと同時に、拡散部９０２ｂは、Ｍ個の拡散符号の一の拡散符号を用いて制御部８０２からの下り回線データを拡散する。
【００９５】
そして、選択部９０４は、どの拡散率を選択すべきかを示す情報を拡散制御情報として制御部８０２から取得する。そして、選択部９０４は、拡散制御情報に示された拡散率で拡散された下り回線データを選択して無線送信部１０６に出力する。
【００９６】
そして、データ用時間帯における下り回線データの再送信時に、拡散部９０２ａ、９０２ｂは、制御部８０２からデータ用時間帯における下り回線データ再送信の実行を示す情報を取得する。そして、拡散部９０２ａは、Ｎ個の拡散符号のうち下り回線用時間帯において下り回線データを拡散した時の拡散符号と異なる一の拡散符号を用いて制御部８０２からの下り回線データを拡散する。これと同時に、拡散部９０２ｂは、Ｍ個の拡散符号のうち下り回線用時間帯において下り回線データを拡散した時の拡散符号と異なる一の拡散符号を用いて制御部８０２からの下り回線データを拡散する。
【００９７】
そして、選択部９０４は、拡散制御情報に示された拡散率で拡散された下り回線データを選択して無線送信部１０６に出力する。
【００９８】
このように、実施の形態４によれば、フレームにおいて未使用時間帯が存在する場合に下り回線データの再送信または上り回線データの再送信に使用されるデータ用時間帯を未使用時間帯に割り当てるため、未使用時間帯においてもデータの送受信を行うことができるから、かつ、データの再送受信を行うために１フレーム以上待機する必要がなくなるから、伝送効率を向上させることができると共に伝送遅延時間を削減することができる。さらに、実施の形態４によれば、通信相手からの余計な制御信号なしでデータ用時間帯の割り当てを行うため、通信相手が余計な制御信号を送信する必要がなくなるから、通信相手の消費電力の増大および干渉の増大を回避することができ、かつ、通信相手の誤り率特性の改善を図ることができる。
【００９９】
また、実施の形態４によれば、送信時と再送信時とで異なる拡散符号を用いるため、マルチパス環境下での拡散符号間の直交性の崩れ方が変化するから、再送信時の下り回線データの誤り率を送信時の下り回線データの誤り率より良くすることができる。
【０１００】
なお、実施の形態４における送受信装置８００は、実施の形態２における送受信装置４００および実施の形態３における送受信装置６００のいずれにも適用することができる。
【０１０１】
また、実施の形態４によれば、上述の作用効果を基地局装置において実現することができる。
【０１０２】
なお、上述のとおり、実施の形態４において説明した送受信装置８００は、ＴＤＤ方式の無線通信システムに適用されたものであるが、送受信装置８００は、ＦＤＤ方式の無線通信システムに適用することも可能である。
【０１０３】
（実施の形態５）
図１０は、本発明の実施の形態５に係る送受信装置の構成を示すブロック図である。なお、実施の形態５に係る送受信装置は、実施の形態１において説明した送受信装置１００と同様の基本的構成を有しており、同一の構成要素には同一の参照符号を付し、その説明を省略する。
【０１０４】
図１０に示す送受信装置１０００は、図１に示す送受信装置１００において制御部１０２および拡散装置１０４の代わりに制御部１００２および拡散装置１００４を具備して成るものである。図１０に示す送受信装置１０００は、ＴＤＤ方式の無線通信システム（たとえば、ＣＤＭＡ／ＴＤＤ方式の無線通信システム）における基地局装置に適用されたものである。
【０１０５】
制御部１００２の入力端子は、時間帯割り当て部１１８に接続されている。拡散装置１００４の入力端子は、制御部１００２に接続されている。無線送信部１０６の入力端子は、拡散装置１００４に接続されている。共用部１０８の入力端子は、無線送信部１０６、制御部１００２およびアンテナ１１０に接続されている。アンテナ１１０の入力端子は、共用部１０８に接続されている。無線受信部１１２の入力端子は、共用部１０８に接続されている。逆拡散装置１１４の入力端子は、無線受信部１１２に接続されている。時間帯計算部１１６の入力端子は、制御部１００２に接続されている。時間帯割り当て部１１８の入力端子は、時間帯計算部１１６に接続されている。
【０１０６】
制御部１００２は、下り回線用時間帯および上り回線用時間帯をフレーム毎に動的に割り当てる。また、制御部１００２は、各フレームにおける下り回線用時間帯および上り回線用時間帯の割り当てに基づいて下り回線データを制御して拡散装置１００４に出力する。また、制御部１００２は、時間帯割り当て部１１８からの割り当て情報に基づいて下り回線データを制御して拡散装置１００４に出力する。
【０１０７】
また、制御部１００２は、下り回線用時間帯および上り回線用時間帯の割り当てを時間帯計算部１１６に報告する。また、制御部１００２は、拡散装置１００４における拡散処理を制御するための拡散制御情報を拡散装置１００４に出力する。また、制御部１００２は、データ用時間帯における下り回線データ再送信の実行を示す情報を拡散装置１００４に出力する。また、制御部１００２は、共用部１０８において送受信の状態遷移を制御するための送受信制御情報を共用部１０８に出力する。
【０１０８】
なお、制御部１００２における下り回線データのタイミングを制御する動作および下り回線データのうちの一部を選択する動作は、実施の形態において説明した制御部１０２と同様である。
【０１０９】
拡散装置１００４は、制御部１００２からの拡散制御情報に基づいて下り回線データを拡散する。拡散装置１００４は、拡散後の下り回線データを無線送信部１０６に出力する。
【０１１０】
次いで、拡散装置１００４における動作の一例について説明する。図１１は、拡散装置１００４の内部構成の一例を示すブロック図である。拡散装置１００４は、拡散部１１０２ａ、１１０２ｂおよび選択部１１０４を具備している。拡散部１１０２ａ、１１０２ｂの入力端子は、制御部１００２に接続されている。選択部１１０４は、制御部１００２および拡散部１１０２ａ、１１０２ｂに接続されている。
【０１１１】
拡散部１１０２ａは、固有の拡散率を有する拡散符号を有する。拡散部１１０２ｂは、固有の拡散率を有する拡散符号を有する。ここで、拡散部１１０２ａにおける拡散率および拡散部１１０２ｂにおける拡散率は互いに異なる。
【０１１２】
まず、下り回線用時間帯における下り回線データの送信時に、拡散部１１０２ａは、制御部１００２からの下り回線データを拡散する。これと同時に、拡散部１１０２ｂは、制御部１００２からの下り回線データを拡散する。
【０１１３】
そして、選択部１１０４は、どの拡散率を選択すべきかを示す情報を拡散制御情報として制御部１００２から取得する。そして、選択部１１０４は、拡散制御情報に示された拡散率で拡散された下り回線データを選択して無線送信部１０６に出力する。
【０１１４】
そして、データ用時間帯における下り回線データの再送信時に、拡散部１１０２ａ、１１０２ｂは、制御部１００２からデータ用時間帯における下り回線データ再送信の実行を示す情報を取得する。そして、拡散部１１０２ａは、制御部１００２からの下り回線データを拡散する。これと同時に、拡散部１１０２ｂは、制御部１００２からの下り回線データを拡散する。
【０１１５】
そして、選択部１１０４は、制御部１００２からデータ用時間帯における下り回線データ再送信の実行を示す情報を取得する。そして、選択部１１０４は、下り回線用時間帯における下り回線データの送信時の拡散率より大きい拡散率の拡散符号を用いて拡散された下り回線データを選択して無線送信部１０６に出力する。
【０１１６】
このように、実施の形態５によれば、フレームにおいて未使用時間帯が存在する場合に下り回線データの再送信または上り回線データの再送信に使用されるデータ用時間帯を未使用時間帯に割り当てるため、未使用時間帯においてもデータの送送信を行うことができるから、かつ、データの再送受信を行うために１フレーム以上待機する必要がなくなるから、伝送効率を向上させることができると共に伝送遅延時間を削減することができる。さらに、実施の形態５によれば、通信相手からの余計な制御信号なしでデータ用時間帯の割り当てを行うため、通信相手が余計な制御信号を送信する必要がなくなるから、通信相手の消費電力の増大および干渉の増大を回避することができ、かつ、通信相手の誤り率特性の改善を図ることができる。
【０１１７】
また、実施の形態５によれば、送信時の拡散符号の拡散率より大きい拡散率を有する拡散符号を再送信時に用いるため、再送信時の下り回線データの誤り率を送信時の下り回線データの誤り率より良くすることができる。
【０１１８】
なお、実施の形態５における送受信装置１０００は、実施の形態２における送受信装置４００および実施の形態３における送受信装置６００のいずれにも適用することができる。
【０１１９】
また、実施の形態５によれば、上述の作用効果を基地局装置において実現することができる。
【０１２０】
なお、上述のとおり、実施の形態５において説明した送受信装置１０００は、ＴＤＤ方式の無線通信システムに適用されたものであるが、送受信装置１０００は、ＦＤＤ方式の無線通信システムに適用することも可能である。
【０１２１】
（実施の形態６）
図１２は、本発明の実施の形態６に係る送受信装置１２００の構成を示すブロック図である。なお、実施の形態６に係る送受信装置は、実施の形態１において説明した送受信装置１００と同様の基本的構成を有しており、同一の構成要素には同一の参照符号を付し、その説明を省略する。
【０１２２】
図１２に示す送受信装置１２００は、図１に示す送受信装置１００における制御部１０２および拡散装置１０４の代わりに制御部１２０２および拡散装置１２０４を具備して成るものである。図１２に示す送受信装置１２００は、ＴＤＤ方式の無線通信システム（たとえば、ＣＤＭＡ／ＴＤＤ方式の無線通信システム）における基地局装置に適用されたものである。
【０１２３】
制御部１２０２の入力端子は、時間帯割り当て部１１８に接続されている。拡散装置１２０４の入力端子は、制御部１２０２に接続されている。無線送信部１０６の入力端子は、拡散装置１２０４に接続されている。共用部１０８の入力端子は、無線送信部１０６、制御部１２０２およびアンテナ１１０に接続されている。アンテナ１１０の入力端子は、共用部１０８に接続されている。無線受信部１１２の入力端子は、共用部１０８に接続されている。逆拡散装置１１４の入力端子は、無線受信部１１２に接続されている。時間帯計算部１１６の入力端子は、制御部１２０２に接続されている。時間帯割り当て部１１８の入力端子は、時間帯計算部１１６に接続されている。
【０１２４】
制御部１２０２は、下り回線用時間帯および上り回線用時間帯をフレーム毎に動的に割り当てる。また、制御部１２０２は、各フレームにおける下り回線用時間帯および上り回線用時間帯の割り当てに基づいて下り回線データを制御して拡散装置１２０４に出力する。また、制御部１２０２は、時間帯割り当て部１１８からの割り当て情報に基づいて下り回線データを制御して拡散装置１２０４に出力する。
【０１２５】
また、制御部１２０２は、下り回線用時間帯および上り回線用時間帯の割り当てを時間帯計算部１１６に報告する。また、制御部１２０２は、拡散装置１２０４における拡散処理を制御するための拡散制御情報を拡散装置１２０４に出力する。また、制御部１２０２は、データ用時間帯における下り回線データ再送信の実行を示す情報を拡散装置１２０４に出力する。また、制御部１２０２は、共用部１０８において送受信の状態遷移を制御するための送受信制御情報を共用部１０８に出力する。
【０１２６】
なお、制御部１２０２における下り回線データのタイミングを制御する動作および下り回線データのうちの一部を選択する動作は、実施の形態において説明した制御部１０２と同様である。
【０１２７】
拡散装置１２０４は、制御部１２０２からの拡散制御情報に基づいて下り回線データを拡散する。拡散装置１２０４は、拡散後の下り回線データを無線送信部１０６に出力する。
【０１２８】
次いで、拡散装置１２０４における動作の一例について説明する。図１３は、拡散装置１２０４の内部構成の一例を示すブロック図である。拡散装置１２０４は、拡散部１３０２ａ、１３０２ｂおよび選択部１３０４を具備している。拡散部１３０２ａ、１３０２ｂの入力端子は、制御部１２０２に接続されている。選択部１３０４は、制御部１２０２および拡散部１３０２ａ、１３０２ｂに接続されている。
【０１２９】
拡散部１３０２ａは、固有の拡散率を有するＮ個（Ｎは２以上の整数）の拡散符号を有する。拡散部１３０２ｂは、固有の拡散率を有するＭ個（Ｍは２以上の整数）の拡散符号を有する。ここで、拡散部１３０２ａにおける拡散率および拡散部１３０２ｂにおける拡散率は互いに異なる。
【０１３０】
まず、下り回線用時間帯における下り回線データの送信時に、拡散部１３０２ａは、Ｎ個の拡散符号のうちＰ個（Ｐ＜Ｎ、Ｐ＜ＭおよびＰは１以上の整数）の拡散符号を用いて制御部１２０２からの下り回線データを拡散する。これと同時に、拡散部１３０２ｂは、Ｍ個の拡散符号のうちＰ個の拡散符号を用いて制御部１２０２からの下り回線データを拡散する。
【０１３１】
そして、選択部１３０４は、どの拡散率を選択すべきかを示す情報を拡散制御情報として制御部１２０２から取得する。そして、選択部１３０４は、拡散制御情報に示された拡散率で拡散された下り回線データを選択して無線送信部１０６に出力する。
【０１３２】
そして、データ用時間帯における下り回線データの再送信時に、拡散部１３０２ａ、１３０２ｂは、制御部１２０２からデータ用時間帯における下り回線データ再送信の実行を示す情報を取得する。そして、拡散部１３０２ａは、Ｎ個の拡散符号のうちＱ個（Ｑ＞Ｐ、Ｑ＜Ｎ、Ｑ＜ＭおよびＱは２以上の整数）の拡散符号を用いて制御部１２０２からの下り回線データを拡散する。また、拡散部１３０２ｂは、Ｍ個の拡散符号のうちＱ個の拡散符号を用いて制御部１２０２からの下り回線データを拡散する。
【０１３３】
そして、選択部１３０４は、拡散制御情報に示された拡散率で拡散された下り回線データを選択して無線送信部１０６に出力する。
【０１３４】
このように、実施の形態６によれば、フレームにおいて未使用時間帯が存在する場合に下り回線データの再送信または上り回線データの再送信に使用されるデータ用時間帯を未使用時間帯に割り当てるため、未使用時間帯においてもデータの送受信を行うことができるから、かつ、データの再送受信を行うために１フレーム以上待機する必要がなくなるから、伝送効率を向上させることができると共に伝送遅延時間を削減することができる。さらに、実施の形態６によれば、通信相手からの余計な制御信号なしでデータ用時間帯の割り当てを行うため、通信相手が余計な制御信号を送信する必要がなくなるから、通信相手の消費電力の増大および干渉の増大を回避することができ、かつ、通信相手の誤り率特性の改善を図ることができる。
【０１３５】
また、実施の形態６によれば、送信時の拡散符号の拡散符号数Ｐより多い拡散符号数Ｑの拡散符号を再送信時に用いるため、再送信時の下り回線データの誤り率を送信時の下り回線データの誤り率より良くすることができる。
【０１３６】
なお、実施の形態６における送受信装置１２００は、実施の形態２における送受信装置４００および実施の形態３における送受信装置６００のいずれにも適用することができる。
【０１３７】
また、実施の形態６によれば、上述の作用効果を基地局装置において実現することができる。
【０１３８】
なお、上述のとおり、実施の形態６において説明した送受信装置１２００は、ＴＤＤ方式の無線通信システムに適用されたものであるが、送受信装置１２００は、ＦＤＤ方式の無線通信システムに適用することも可能である。
【０１３９】
（実施の形態７）
図１４は、本発明の実施の形態７に係る送受信装置の構成を示すブロック図である。なお、実施の形態７に係る送受信装置は、実施の形態１において説明した送受信装置１００と同様の基本的構成を有しており、同一の構成要素には同一の参照符号を付し、その説明を省略する。
【０１４０】
図１４に示す送受信装置１４００は、図１に示す送受信装置１００における制御部１０２および拡散装置１０４の代わりに制御部１４０２および拡散装置１４０４を具備して成るものである。図１４に示す送受信装置１４００は、ＴＤＤ方式の無線通信システム（たとえば、ＣＤＭＡ／ＴＤＤ方式の無線通信システム）における基地局装置に適用されたものである。
【０１４１】
制御部１４０２の入力端子は、時間帯割り当て部１１８に接続されている。拡散装置１４０４の入力端子は、制御部１４０２に接続されている。無線送信部１０６の入力端子は、拡散装置１４０４に接続されている。共用部１０８の入力端子は、無線送信部１０６、制御部１４０２およびアンテナ１１０に接続されている。アンテナ１１０の入力端子は、共用部１０８に接続されている。無線受信部１１２の入力端子は、共用部１０８に接続されている。逆拡散装置１１４の入力端子は、無線受信部１１２に接続されている。時間帯計算部１１６の入力端子は、制御部１４０２に接続されている。時間帯割り当て部１１８の入力端子は、時間帯計算部１１６に接続されている。
【０１４２】
制御部１４０２は、下り回線用時間帯および上り回線用時間帯をフレーム毎に動的に割り当てる。また、制御部１４０２は、各フレームにおける下り回線用時間帯および上り回線用時間帯の割り当てに基づいて下り回線データを制御して拡散装置１４０４に出力する。また、制御部１４０２は、時間帯割り当て部１１８からの割り当て情報に基づいて下り回線データを制御して拡散装置１４０４に出力する。
【０１４３】
また、制御部１４０２は、下り回線用時間帯および上り回線用時間帯の割り当てを時間帯計算部１１６に報告する。また、制御部１４０２は、拡散装置１４０４における拡散処理を制御するための拡散制御情報を拡散装置１４０４に出力する。また、制御部１４０２は、データ用時間帯における下り回線データ再送信の実行を示す情報を拡散装置１４０４に出力する。また、制御部１４０２は、共用部１０８において送受信の状態遷移を制御するための送受信制御情報を共用部１０８に出力する。
【０１４４】
なお、制御部１４０２における下り回線データのタイミングを制御する動作および下り回線データのうちの一部を選択する動作は、実施の形態において説明した制御部１０２と同様である。
【０１４５】
拡散装置１４０４は、制御部１４０２からの拡散制御情報に基づいて下り回線データを拡散する。拡散装置１４０４は、拡散後の下り回線データを無線送信部１０６に出力する。
【０１４６】
次いで、拡散装置１４０４の動作の一例について説明する。まず、下り回線用時間帯における下り回線データの送信時に、拡散装置１４０４は、制御部１４０２からの複数の通信相手宛ての下り回線データを拡散して多重する。そして、データ用時間帯における下り回線データの再送信時に、拡散装置１４０４は、データ用時間帯における下り回線データ再送信の実行を示す情報を制御部１４０２から取得する。そして、拡散装置１４０４は、制御部１４０２からの複数の通信相手宛ての下り回線データを拡散して多重する。この時、拡散装置１４０４は、データ用時間帯において下り回線データを拡散する時の拡散符号の多重数を、下り回線用時間帯において下り回線データを拡散する時の拡散符号の多重数より少なくして多重する。
【０１４７】
このように、実施の形態７によれば、フレームにおいて未使用時間帯が存在する場合に下り回線データの再送信または上り回線データの再送信に使用されるデータ用時間帯を未使用時間帯に割り当てるため、未使用時間帯においてもデータの送受信を行うことができるから、かつ、データの再送受信を行うために１フレーム以上待機する必要がなくなるから、伝送効率を向上させることができると共に伝送遅延時間を削減することができる。さらに、実施の形態７によれば、通信相手からの余計な制御信号なしでデータ用時間帯の割り当てを行うため、通信相手が余計な制御信号を送信する必要がなくなるから、通信相手の消費電力の増大および干渉の増大を回避することができ、かつ、通信相手の誤り率特性の改善を図ることができる。
【０１４８】
また、実施の形態７によれば、再送信時の拡散符号の多重数を送信時より少なくして拡散を行うため、多重波の符号間干渉を低減することができるから、再送信時の下り回線データの誤り率を送信時の下り回線データの誤り率より良くすることができる。
【０１４９】
なお、実施の形態７における送受信装置１４００は、実施の形態２における送受信装置４００および実施の形態３における送受信装置６００のいずれにも適用することができる。
【０１５０】
また、実施の形態７によれば、上述の作用効果を基地局装置において実現することができる。
【０１５１】
なお、上述のとおり、実施の形態７において説明した送受信装置１４００は、ＴＤＤ方式の無線通信システムに適用されたものであるが、送受信装置１４００は、ＦＤＤ方式の無線通信システムに適用することも可能である。
【０１５２】
【発明の効果】
以上説明したように、本発明によれば、フレームにおける下り回線データの送信に使用される下り回線用時間帯および上り回線データの送信に使用される上り回線用時間帯以外の未使用時間帯に前記下り回線データの再送信または前記上り回線データの再送信に使用されるデータ用時間帯を割り当てることにより、伝送効率を向上させることができると共に伝送遅延時間を削減することができる。
【図面の簡単な説明】
【図１】本発明の実施の形態１に係る送受信装置の構成を示すブロック図
【図２】本発明の実施の形態１に係る送受信装置における時間帯割り当ての一例を説明するための図
【図３】本発明の実施の形態１に係る送受信装置における拡散装置の内部構成の一例を示すブロック図
【図４】本発明の実施の形態２に係る送受信装置の構成を示すブロック図
【図５】本発明の実施の形態２に係る送受信装置における時間帯割り当ての一例を説明するための図
【図６】本発明の実施の形態３に係る送受信装置の構成を示すブロック図
【図７】本発明の実施の形態２に係る送受信装置における時間帯割り当ての一例を説明するための図
【図８】本発明の実施の形態４に係る送受信装置の構成を示すブロック図
【図９】本発明の実施の形態４に係る送受信装置における拡散装置の内部構成の一例を示すブロック図
【図１０】本発明の実施の形態５に係る送受信装置の構成を示すブロック図
【図１１】本発明の実施の形態５に係る送受信装置における拡散装置の内部構成の一例を示すブロック図
【図１２】本発明の実施の形態６に係る送受信装置の構成を示すブロック図
【図１３】本発明の実施の形態６に係る送受信装置における拡散装置の内部構成の一例を示すブロック図
【図１４】本発明の実施の形態７に係る送受信装置の構成を示すブロック図
【符号の説明】
１００、４００、６００、８００、１０００、１２００、１４００  送受信装置
１０２、８０２、１００２、１２０２、１４０２  制御部
１０４、８０４、１００４、１２０４、１４０４  拡散装置
１０６  無線送信部
１０８  共用部
１１０  アンテナ
１１２  無線受信部
１１４  逆拡散装置
１１６  時間帯計算部
１１８、４０２、６０２  時間帯割り当て部
【図１】
2004247830.tif 000003
【図２】
2004247830.tif 000004
【図３】
2004247830.tif 000005
【図４】
2004247830.tif 000006
【図５】
2004247830.tif 000007
【図６】
2004247830.tif 000008
【図７】
2004247830.tif 000009
【図８】
2004247830.tif 000010
【図９】
2004247830.tif 000011
【図１０】
2004247830.tif 000012
【図１１】
2004247830.tif 000013
【図１２】
2004247830.tif 000014
【図１３】
2004247830.tif 000015
【図１４】
2004247830.tif 000016